(57)【要約】【課題】  ユーザー自身が簡単にレリーズボタンのストローク調整ができるようにすることを目的とする。【解決手段】  レリーズボタンの第１ストロークで撮像準備動作を行い、前記第１ストロークに続き、更なるレリーズボタンの押し込みによる第２ストロークで撮像動作が行われる撮像装置において、前記レリーズボタンの押下ストロークを検知する検知手段と、前記検知手段により検知された、前記レリーズボタンの前記押下ストロークを記憶する記憶手段と、前記記憶手段に記憶された前記押下ストロークを、前記レリーズボタンの第１ストロークと第２ストロークにそれぞれ設定する設定手段と、前記設定手段により設定された前記レリーズボタンの前記第１ストロークで撮像準備動作の制御を行い、前記設定手段により設定された前記レリーズボタンの前記第２ストロークで撮像動作の制御を行う制御手段を備えることを特徴とした撮像装置。【選択図】  図３
2012185249.tif 000002
【特許請求の範囲】
【請求項１】
レリーズボタン（１２）の第１ストロークで撮像準備動作を行い、前記第１ストロークに続き、更なるレリーズボタン（１２）の押し込みによる第２ストロークで撮像動作が行われる撮像装置（１）において、前記レリーズボタン（１２）の押下ストロークを検知する検知手段(３２)と、前記検知手段（３２）により検知された、前記レリーズボタンの前記押下ストロークを記憶する記憶手段（３３）と、前記記憶手段（３３）に記憶された前記押下ストロークを、前記レリーズボタン（１２）の第１ストロークと第２ストロークにそれぞれ設定する設定手段（２４）と、前記設定手段（２４）により設定された前記レリーズボタン（１２）の前記第１ストロークで撮像準備動作の制御を行い、前記設定手段により設定された前記レリーズボタンの前記第２ストロークで撮像動作の制御を行う制御手段（３１）を備えることを特徴とした撮像装置（１）。
【請求項２】
前記レリーズボタン（１２）の前記押下ストロークの検知手段は静電容量の変化に基づいて行うことを特徴とする、請求項１に記載の撮像装置（１）。
【発明の詳細な説明】
【技術分野】
【０００１】
本発明はレリーズボタンのストローク調整が可能な撮像装置に関するものである。
【背景技術】
【０００２】
従来、半押し、全押しの二段階作動が可能なレリーズボタンを有する撮像装置においては、不用意な誤動作を防止するためにレリーズボタンの作動ストロークを長くしたいという要望や、シャッタチャンスを逃さないようにするためにレリーズボタンの作動ストロークを短くしたいという要望がある。このような要望に応えるために、工具を用いて調整用部材を調整することで、レリーズボタンの作動ストロークを調整することができる撮像装置が存在する（特許文献１）。特許文献1では、半押し、全押しスイッチを支持する基板の間隔を調整するねじを設けて、このねじを回転させることで、レリーズボタンの半押し、全押しのストロークを調整している。
【先行技術文献】
【特許文献】
【０００３】
【特許文献１】特開2010-049151号公報
【発明の概要】
【発明が解決しようとする課題】
【０００４】
特許文献１に開示された従来技術では、ストローク調整を行うためにドライバーなどの工具が必要であったり、撮像装置内部の目視しにくい部分にあるビスなどを調整する必要があったりする。このため、ユーザー自身が簡単にレリーズボタンの作動ストローク調整をすることが難しい。そこで、本発明では、調整にかかわる技術や工具を必要とすることなく、ユーザー自身が簡単にレリーズボタンのストローク調整ができるようにすることを目的とする。
【課題を解決するための手段】
【０００５】
本発明に係る撮像装置は、レリーズボタンの第１ストロークで撮像準備動作を行い、前記第１ストロークに続き、更なるレリーズボタンの押し込みによる第２ストロークで撮像動作が行われる撮像装置において、前記レリーズボタンの押下ストロークを検知する検知手段と、前記検知手段により検知された、前記レリーズボタンの前記押下ストロークを記憶する記憶手段と、前記記憶手段に記憶された前記押下ストロークを、前記レリーズボタンの第１ストロークと第２ストロークにそれぞれ設定する設定手段と、前記設定手段により設定された前記レリーズボタンの前記第１ストロークで撮像準備動作の制御を行い、前記設定手段により設定された前記レリーズボタンの前記第２ストロークで撮像動作の制御を行う制御手段を備えることを特徴とする。
【発明の効果】
【０００６】
本発明によれば、ユーザー自身がレリーズボタンの半押し、全押しのストローク調整を容易に行うことができる。
【図面の簡単な説明】
【０００７】
【図１】本発明の実施形態である撮像装置の前面斜視図である。
【図２】本発明の実施形態である撮像装置の背面斜視図である。
【図３】本発明の第１実施形態の撮像装置の構成を示すブロック図である。
【図４】レリーズボタンのスイッチ構造を示す断面図である。
【図５】（Ａ）は検知スイッチの断面図であり、（Ｂ）はレリーズボタンの押下により検知スイッチが変形した状態を示す図である。
【図６】検知スイッチの入出力関係を示す図である。
【図７】ストローク調整メニューの表示を示す図である。
【図８】半押しストローク調整のフローチャートである。
【図９】全押しストローク調整のフローチャートである。
【図１０】ストローク初期化のフローチャートである。
【発明を実施するための形態】
【０００８】
以下に、本発明の好ましい実施の形態を、添付の図面に基づいて詳細に説明する。
【０００９】
［実施例１］
図１は、本発明の実施形態１に係る撮像装置を前面側より見た外観を示す斜視図である。具体的には、図１は、撮像レンズユニットを外した状態を示している。なお、本実施形態では、一眼レフのデジタルカメラを例に説明するが、これに限定されず、コンパクトカメラなどスイッチ構造を有するものであれば、ほかの電子機器でも良い。図２は、本発明の実施形態１に係る撮像装置を背面側より見た外観を示す斜視図である。
【００１０】
図１において、撮像装置１には、撮像時に撮影者が撮像装置１を安定して握り易いように前方に突出したグリップ部１１が設けられている。グリップ部１１の上部には、撮像開始のスイッチとしてレリーズボタン１２が配置されている。
【００１１】
マウント部１３は、着脱可能な撮像レンズユニット３４（後述の図３参照）を撮像装置１に固定させる。
【００１２】
ミラーボックス１４は、撮像装置１の筐体内に配置され、撮像レンズユニット３４を通過した撮像光束はここへ導かれる。ミラーボックス１４の内部には、クイックリターンミラー１５が配設されている。
【００１３】
図２において、撮像装置１の背面には上方にファインダ接眼窓２１が設けられ、更に背面中央付近には画像表示部２２が設けられている。画像表示部２２の横には操作ボタン２３が配置されており、ユーザーが操作ボタン２３を操作することにより、撮像装置１の各種設定の変更を行うことができ、画像表示部２２にはその設定状況が表示される。さらに撮像装置１の背面には決定ボタン２４が配置されており、ユーザーが撮像装置１の各種設定の変更を決定する際に使用する。
【００１４】
図３は、実施形態１に係る撮像装置１の主要な構成を示すブロック図である。なお、前述の図面と共通する部分は同じ記号で示している。システム制御部３１は、撮像装置１全体の動作制御を行うものであり、各要素に対して様々な処理や指示を実行する。
【００１５】
システム制御部３１には、画像表示部２２、操作ボタン２３、決定ボタン２４、検知スイッチ３２、メモリ３３、撮像素子３５、撮像レンズ制御部３０１、測距部３０２、ミラー制御部３０３、シャッタ制御部３０４、測光部３０５が接続されている。
【００１６】
撮像レンズユニット３４は、被写体像光を撮像素子３５の撮像面に結像させる光学系であり、この光学系の焦点位置を調節するためのフォーカスレンズを含む複数のレンズ群を備えている。ここで光軸３７は、光学系の中心を示す。
【００１７】
クイックリターンミラー１５は、メインミラー１５ａとサブミラー１５ｂによって構成され、メインミラー１５ａはその一部がハーフミラーとなっており、光の一部を透過させる。また、クイックリターンミラー１５は、撮像時にレリーズボタン１２が押下されると、その端部に設けられた不図示の軸を中心として回動し、反射面が光軸３７に対して略平行となる位置に退避する。
【００１８】
撮像素子３５は、メインミラー１５ａが退避したときに、光軸３７に沿った光が届く位置に設けられ、撮像レンズユニット３４が結像した像を電気信号に変換する撮像デバイスであるＣＭＯＳが用いられる。この撮像デバイスには、ＣＣＤ型、ＣＭＯＳ型およびＣＩＤ（電荷注入素子）型など様々な形態があり、何れの形態の撮像デバイスを採用してもよい。
【００１９】
サブミラー１５ｂは、メインミラー１５ａのハーフミラー部分を透過した光の進路を、測距部３０２に導くための鏡である。
【００２０】
測距部３０２は、サブミラー１５ｂによって屈曲された光を２つに分けて視差のある２つの像を生成し、公知の位相差測距を行い、測距情報をシステム制御部３１に出力する。
【００２１】
撮像レンズ制御部３０１は、測距部３０２よりシステム制御部３１に出力された測距情報に基づき、合焦位置にフォーカスレンズを駆動する。
【００２２】
検知スイッチ３２は、レリーズボタン１２の押下ストロークを静電容量の変化として取り出すことで、スイッチング検知をする構成となっている（後述の図５参考）。また、検知スイッチ３２はレリーズボタン１２の第１ストローク（半押し）でスイッチＳＷ１がオンし、第２ストローク（全押し）にてスイッチＳＷ２がオンする。
【００２３】
シャッタ３６は、ミラー部１５と撮像素子３５との間に設けられ、露光時間を制御する。
【００２４】
ペンタプリズム３８は、メインミラー１５ａによって反射された撮像光束を正立正像に変換反射する光学部材であり、ファインダ接眼窓２１を通して撮像光束を撮影者に導く。またペンタプリズム３８は、撮像光束の一部を測光部３０５にも導く。
【００２５】
測光部３０５は、得られた撮像光束の一部を、観察面上の各エリアの輝度信号に変換し、システム制御部３１に出力する。システム制御部３１は、こうして得られる輝度信号から露出値を算出する。
【００２６】
レリーズボタン１２が半押しまで押下されＳＷ１がオンになると、制御部３１は測距部３０２および測光部３０５を駆動して、合焦および測光動作を行う。また、レリーズボタン１２が全押しまで押下されてＳＷ２がオンになるとミラー制御部３０３、シャッタ制御部３０４および撮像素子３５を駆動して撮像動作を行う。
【００２７】
図４は、本発明による撮像装置１のレリーズボタン１２のスイッチ構造の一実施の形態を示す断面図である。同図において、撮像装置１のレリーズボタン１２のスイッチ構造は、レリーズボタン１２、検知スイッチ３２、カメラカバー４１、ばね４２、検知スイッチ３２が設置された基板４３、基板４３を保持する保持部材４４、を含んで構成されている。
【００２８】
レリーズボタン１２は押下部１２ａと、押下部１２ａの下面の略中心部分から下方に延びた軸部１２ｂとが一体化されることにより形成されており、カメラカバー４１の上面に設けられている。
【００２９】
レリーズボタン１２を取り付けるため、カメラカバー４１の上面には、凹み状のボタン受け部４１ａが形成されている。ボタン受け部４１ａの略中央部分には、軸部１２ｂを挿入するための挿入孔４１ｂがある。軸部１２ｂが挿入孔４１ｂ内に挿入されることによりレリーズボタン１２がカメラカバー４１に取り付けられる。また、軸部１２ｂには、止め輪４５をはめ込むための溝４１ｃが形成されている。
【００３０】
レリーズボタン１２とボタン受け部４１ａとの間には、ばね４２が配置されている。ばね４２は、ボタン受け部４１ａの底面４１ｃとレリーズボタン１２の押下部１２ａとの間に位置するように配置されており、レリーズボタン１２の押下操作によって沈み込んだレリーズボタン１２を元の位置に復帰させるリターンスプリングとなっている。
【００３１】
検知スイッチ３２は、レリーズボタンの軸部１２ｂの直下に配置される。また、基板４３は保持部材４４に形成された位置決め４４ａにより配置が決定される。
【００３２】
図５(Ａ)、（Ｂ）は、検知スイッチ３２を示し、図５の（Ａ）は検知スイッチ３２の断面図で、図５（Ｂ）は検知スイッチ３２がレリーズボタンの押下により変形した状態を示している。この検知スイッチ３２には、外力が加えられると変形する弾性体５１が備えられており、基板４３の上面に接着剤などを用いて接着固定される。
【００３３】
弾性体５１は、上記図５（Ａ）における上下方向に屈曲可能な円筒状の支持部５１ａと、この支持部５１ａと一体に形成され、レリーズボタン１２の軸部１２ｂを受ける平板状の入力部５１ｂとによって構成されている。この弾性体５１の天井面部に電極５２、この電極５２に対向して基板４３側に検出電極５３を備えている。なお、弾性体５１を導電性材料で形成して電極を構成すれば、電極５２を別個に設置する必要はない。検出電極５３には不図示の端子が形成されており、半田付けなどにより基板４３上の配線と電気的に接続され、システム制御部３１につながっている。
【００３４】
弾性体５１は、本実施形態では、導電性シリコンラバーによって形成されている。なお、本発明に係る弾性体５１の材料は本実施形態における導電性シリコンラバーに限定されるものではなく、導電性を有し、且つ、外力が加えられると変形して歪みを起こす材料を適用すればよい。従って、例えば、弾性体５１には、導電性エラストマーなどの導電性を有する樹脂やゴムを適用することができ、又、非導電性のシリコンラバーやエラストマーなどの材料に、導電性材料を印刷又はスパッタリングして弾性体５１を形成することもできる。
【００３５】
図５の（Ｂ）に示すように、レリーズボタン１２が押下されると、押下によって弾性体５１が屈曲変形し、それに伴って電極５２と検出電極５３とが接近し、電極間の静電容量Ｃが増加する。
【００３６】
図６は、弾性体５１に対する入力（ストロークＳＴ）と、出力（静電容量Ｃ）の関係を示しており、静電容量ＣはストロークＳＴに比例して増加する。したがって、レリーズボタン１２の押下ストロークＳＴの検知は静電容量の変化を検知することで可能である。
【００３７】
また、レリーズボタン１２の押下による検知スイッチ３２の静電容量変化をモニタリングして、半押しおよび全押しに応じた静電容量となった際に、ＳＷ１およびＳＷ２をオンすることで、レリーズボタン１２のスイッチングが可能となる。
【００３８】
レリーズボタン１２のストローク調整は、ユーザーが操作ボタン２３を操作して、「ストローク調整メニュー」が選択されると、図７に示す「ストローク調整メニュー」の画面が画像表示部２２に表示される。「ストローク調整メニュー」には、レリーズボタン１２の半押しストロークＳＴ１を調整するための半押しストローク調整メニュー７１、全押しストロークＳＴ２を調整するための全押しストローク調整メニュー７２が表示される。また、撮影者により設定された半押しストロークＳＴ１および全押しストロークＳＴ２を初期化するための初期化メニュー７３がある。各メニューはカーソル７４を、操作ボタン２３の操作をすることにより移動することで選択が可能である。
【００３９】
また、ストローク調整メニュー中においては、撮影者がレリーズボタンの押下ストロークを直感的に理解できるように、レリーズボタンのストロークの設定可能な範囲を示すスケール７５が表示される。さらにスケール７５の上下には、半押し表示カーソル７６と全押し表示カーソル７７が表示される。半押し表示カーソル７６および全押し表示カーソル７７は、撮影者のレリーズのボタンの押下によって、スケール７５上を移動して、現在のストロークがストローク設定可能範囲のどこにあるのかを表示する。
【００４０】
テキスト表示部７８は、レリーズボタン押下の指示や、ストロークの過不足などの警告を表示する。
【００４１】
操作ボタン３２を操作して、カーソル７４を移動して半押しストローク調整メニュー７１を選択し、決定ボタン２４が押されると、半押しストローク調整メニューに入る。
【００４２】
図８は、レリーズボタン１２の半押しストローク調整メニューのフローチャートを示す。半押しストローク調整メニューに入ると、ユーザーの設定による全押しストロークＳＴ２がメモリ３３に記憶されているかを調査する（ステップＳ１０１）。
【００４３】
次にＳＴ２が記憶されていて、ＳＴ２がＳＴ１の設定可能な範囲の最大量ＳＴ１ＭＡＸよりも小さいかどうかを判別する（ステップＳ１０２）。ＳＴ２がＳＴ１ＭＡＸよりも小さい場合、これから決定しようとしているＳＴ１が既に決定したＳＴ２を超えないようにするために、ＳＴ１ＭＡＸをＳＴ２から所定量Ａだけ小さくした値に再設定する（ステップＳ１０３）。
【００４４】
ステップＳ１０３後、テキスト表示部７８に「レリーズボタンを半押ししてください」と表示してユーザーにレリーズボタン１２を半押しするように指示する（ステップＳ１０４）。
【００４５】
ユーザーがレリーズボタン１２を押下した際(ステップＳ１０５)、押下ストロークＳＴがＳＴ１ＭＡＸを超えていないかを判別する（ステップＳ１０６）。押下ストロークＳＴがＳＴ１ＭＡＸを超えている場合、テキスト表示部７８に「ストロークが大きすぎます」と表示して、ユーザーにストロークが大きい事を警告し、ステップＳ１０４に戻る(ステップＳ１０７)。押下ストロークＳＴがＳＴ１ＭＡＸを超えていない状態で、ユーザーにより決定ボタン２４が押されると（ステップＳ１０８）、その際の検知スイッチ３２の変形量に応じた静電容量ＣＳＴ１がメモリ３３に記憶される（ステップＳ１０９）。次にシステム制御部３１にて、静電容量ＣＳＴ１とストロークの関係を照合して半押しストロークＳＴ１が決定され、メモリ３３に上書きされ新たな半押しストロークＳＴ１として記憶される（ステップＳ１１０）。ＳＴ１が記憶されると半押しストローク調整メニューを終了する。
【００４６】
図７のストローク調整メニューにて、操作ボタン３２を操作して、カーソル７４を移動して全押しストロークの調整メニュー７２を選択し、決定ボタン２４が押されると、全押しストローク調整メニューに入る。
【００４７】
図９は、レリーズボタン１２の全押しストローク調整メニューのフローチャートを示す。全押しストローク調整メニューに入ると、ユーザーの設定による半押しストロークＳＴ１がメモリ３３に記憶されているかを調査する（ステップＳ２０１）。
【００４８】
次にＳＴ１が記憶されていて、ＳＴ１がＳＴ２の設定可能な範囲の最小量ＳＴ２ＭＩＮよりも小さいかどうかを判別する（ステップＳ２０２）。ＳＴ１がＳＴ２ＭＩＮよりも小さい場合、これから決定しようとしているＳＴ２が既に決定したＳＴ１を下回らないように、ＳＴ２ＭＩＮをＳＴ１から所定量Ａだけ大きくした値に再設定する（ステップＳ２０３）。
【００４９】
ステップＳ２０３の後、テキスト表示部７８に「レリーズボタンを全押ししてください」と表示してユーザーにレリーズボタン１２を全押しするように指示する（ステップＳ２０４）。
【００５０】
ユーザーがレリーズボタン１２を押下した際(ステップＳ２０５)、押下ストロークＳＴがＳＴ２ＭＩＮを下回っていないかを判別する（ステップＳ２０６）。押下ストロークＳＴがＳＴ２ＭＩＮを下回っている場合、テキスト表示部７８に「ストロークが小さすぎます」と表示して、ユーザーにストロークが小さい事を警告し、ステップＳ２０４に戻る(ステップＳ２０７)。押下ストロークＳＴがＳＴ２ＭＩＮを下回っていない状態で、ユーザーにより決定ボタン２４が押されると（ステップＳ２０８）、その際の検知スイッチ３２の変形量に応じた静電容量ＣＳＴ２がメモリ３３に記憶される（ステップＳ２０９）。次にシステム制御部３１にて、静電容量ＣＳＴ２とストロークの関係を照合して全押しストロークＳＴ２が決定され、メモリ３３に上書きされ新たな全押しストロークＳＴ２として記憶される（ステップＳ２１０）。ＳＴ２が記憶されると半押しストローク調整メニューを終了する。
【００５１】
図７のストローク調整メニューにてユーザーがカーソル７４を移動して初期化メニュー７３を選択し、決定ボタン２４が押されると、ストローク初期化メニューに入る。
【００５２】
図１０はレリーズボタン１２のストローク初期化メニューのフローチャートを示す。ストローク初期化メニューに入ると、テキスト表示部７８に「初期化するストロークを選択してください」と表示して（ステップＳ３０１）、撮影者に半押しストロークと全押しストロークのどちらを初期化するかを選択させる（ステップＳ３０２）。半押しストロークが選択されると、撮影者の設定による半押ししストロークＳＴ１がメモリ３３に記憶されているかを調査する（ステップＳ３０３）。ＳＴ１が記憶されている場合、テキスト表示部７８に「半押しストロークを初期化しますか」と表示して（ステップＳ３０５）ユーザーがＳＴ１を消去する確認を行う。ユーザーにより決定ボタン２４が押されると（ステップＳ３０８）、メモリ３３に記憶されているＳＴ１を消去する（ステップＳ３１０）。ステップＳ３０８にて決定ボタン２４が押されずに一定時間経過した場合はＳＴ１を消去せずに、半押しストローク初期化メニューを終了する。ステップＳ３１０にてＳＴ１が消去されると、にメモリ３３に初期状態で記憶されている半押しストロークＳＴ０１を半押しストロークとして登録して（ステップＳ３１２）、ストローク初期化メニューを終了する。
【００５３】
ステップＳ３０２にて全押しストロークが選択されると、ユーザーの設定による全押ししストロークＳＴ２がメモリ３３に記憶されているかを調査する（ステップＳ３０４）。ＳＴ２が記憶されている場合、テキスト表示部７８に「全押しストロークを初期化しますか」と表示して（ステップＳ３０７）、ユーザーがＳＴ２を消去する確認を行う。ユーザーにより決定ボタン２４が押されると（ステップＳ３０９）、メモリ３３に記憶されているＳＴ２を消去する（ステップＳ３１１）。ステップＳ３０９にて決定ボタン２４が押されずに一定時間経過した場合はＳＴ２を消去せずに、全押しストローク初期化メニューを終了する。ステップＳ３１１にてＳＴ２が消去されると、メモリ３３に初期状態で記憶されているＳＴ０２を全押しストロークとして登録して（ステップＳ３１３）、全押しストローク初期化メニューを終了する。
【符号の説明】
【００５４】
１  撮像装置
１２  レリーズボタン
２２  画像表示部
２３  操作ボタン
２４  決定ボタン
３１  システム制御部
３２  検知スイッチ
３３  メモリ
【図１】
2012185249.tif 000003
【図２】
2012185249.tif 000004
【図３】
2012185249.tif 000005
【図４】
2012185249.tif 000006
【図５】
2012185249.tif 000007
【図６】
2012185249.tif 000008
【図７】
2012185249.tif 000009
【図８】
2012185249.tif 000010
【図９】
2012185249.tif 000011
【図１０】
2012185249.tif 000012